【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】  表示部を有した第１のデバイス機器にインターネットを介して接続される情報処理装置であって、
ユーザが第２のデバイス機器を購入する際に前記第２のデバイス機器に対する契約を結ぶための契約に関する情報を設定する画面を表示するための情報を送信する送信手段と、
前記インターネットを介して送信されてくる、使用履歴のある第１のデバイス機器を特定する第１のＩＤ情報と前記第２のデバイス機器を特定する第２のＩＤ情報とを受信する受信手段と、
前記受信手段により受信した第１のＩＤ情報に応じた第１の契約情報を検索する検索手段と、
前記検索手段で検索された第１の契約情報に基づく前記第２のデバイス機器に対する第２の契約情報を生成する生成手段とを有することを特徴とする情報処理装置。
【請求項２】  前記生成手段は前記生成した前記第２の契約情報を表示させるための情報を更に生成し前記送信手段は当該表示するための情報を前記インターネットを介して接続される情報機器に対して送信することを特徴とする請求項１に記載の情報処理装置。
【請求項３】  前記デバイス機器は印刷装置を含むことを特徴とする請求項１に記載の情報処理装置。
【請求項４】  表示部を有した第１のデバイス機器にインターネットを介して接続される情報処理装置による情報処理方法であって、
ユーザが第２のデバイス機器を購入する際に前記第２のデバイス機器に対する契約を結ぶための契約に関する情報を設定する画面を表示するための情報を送信する送信ステップと、
前記インターネットを介して送信されてくる、使用履歴のある第１のデバイス機器を特定する第１のＩＤ情報と前記第２のデバイス機器を特定する第２のＩＤ情報とを受信する受信ステップと、
前記受信ステップで受信した第１のＩＤ情報に応じた第１の契約情報を検索する検索ステップと、
前記検索ステップで検索された第１の契約情報に基づく前記第２のデバイス機器に対する第２の契約情報を生成する生成ステップとを有することを特徴とする情報処理方法。
【請求項５】  表示部を有した第１のデバイス機器にインターネットを介して接続される情報処理装置において、
ユーザが第２のデバイス機器を購入する際に前記第２のデバイス機器に対する契約を結ぶための契約に関する情報を設定する画面を表示するための情報を送信する送信ステップと、
前記インターネットを介して送信されてくる、使用履歴のある第１のデバイス機器を特定する第１のＩＤ情報と前記第２のデバイス機器を特定する第２のＩＤ情報とを受信する受信ステップと、
前記受信ステップで受信した第１のＩＤ情報に応じた第１の契約情報を検索する検索ステップと、
前記検索ステップで検索された第１の契約情報に基づく前記第２のデバイス機器に対する第２の契約情報を生成する生成ステップとを、実行するためのプログラムコードを記憶したことを特徴とするコンピュータが読み取り可能な記憶媒体。
【請求項６】  表示部を有した第１のデバイス機器にインターネットを介して接続される情報処理装置において実行されるプログラムであって、
ユーザが第２のデバイス機器を購入する際に前記第２のデバイス機器に対する契約を結ぶための契約に関する情報を設定する画面を表示するための情報を送信する送信ステップと、
前記インターネットを介して送信されてくる、使用履歴のある第１のデバイス機器を特定する第１のＩＤ情報と前記第２のデバイス機器を特定する第２のＩＤ情報とを受信する受信ステップと、
前記受信ステップで受信した第１のＩＤ情報に応じた第１の契約情報を検索する検索ステップと、
前記検索ステップで検索された第１の契約情報に基づく前記第２のデバイス機器に対する第２の契約情報を生成する生成ステップとを有することを特徴とするプログラム。
【請求項７】  ＩＤ情報に対応付けられている複数の画像形成装置をそれぞれ管理する前記複数の画像形成装置とインターネットを介して接続された情報処理装置であって、
前記インターネットを介して送信されてくる前記複数の画像形成装置のそれぞれの使用状況を受信し、前記受信した使用状況に応じたポイント数を計算し、割引き金額を含めた印刷出力１枚当たりの課金額を、前記画像形成装置の機種情報と前記ポイント数とに応じて計算する計算手段を有し、
前記計算手段は計算されたポイント数に応じて新たな契約対象となる画像形成装置に対する契約の割引き額を計算することを特徴とする情報処理装置。
【請求項８】  前記計算手段によって計算された割引き額を表示するための情報をユーザに対して送信する送信手段を有することを特徴とする請求項７に記載の情報処理装置。
【請求項９】  前記計算手段は前記複数の画像形成装置のそれぞれの使用状況に応じて前記複数の画像形成装置ごとに累積されたポイント数を合計し、前記計算手段は前記合計されたポイント数に応じて前記新たな契約対象となる画像形成装置の割引き額を計算することを特徴とする請求項７または８に記載の情報処理装置。
【請求項１０】  ユーザが過去に契約対象としていた画像形成装置の過去の累積ポイント数を記憶する記憶手段を更に有し、前記計算手段は前記複数の画像形成装置のそれぞれの使用状況に応じたポイント数と前記過去の累積ポイント数とを合計した合計ポイントを計算することを特徴とする請求項７乃至９の何れか１項に記載の情報処理装置。
【請求項１１】  前記過去の累積ポイント数には日付情報が含まれており、前記日付情報が所定期間内か否かを判断する判断手段をさらに有し、前記判断手段により所定期間内であると判断された場合には前記計算手段は前記合計ポイントに前記過去の累積ポイント数を累積し、所定期間内でないと判断された場合には前記合計ポイントに過去のポイント数を累積しないことを特徴とする請求項１０に記載の情報処理装置。
【請求項１２】  ＩＤ情報に対応付けられている複数の画像形成装置をそれぞれ管理する前記複数の画像形成装置とインターネットを介して接続された情報処理装置による情報処理方法であって、
前記インターネットを介して送信されてくる前記複数の画像形成装置のそれぞれの使用状況を受信し、前記受信した使用状況に応じたポイント数を計算する計算ステップを有し、
前記計算ステップは計算されたポイント数に応じて新たな契約対象となる画像形成装置に対する契約の割引き額を計算すること含むことを特徴とする情報処理方法。
【請求項１３】  ＩＤ情報に対応付けられている複数の画像形成装置をそれぞれ管理する前記複数の画像形成装置とインターネットを介して接続された情報処理装置において、
前記インターネットを介して送信されてくる前記複数の画像形成装置のそれぞれの使用状況を受信し、前記受信した使用状況に応じたポイント数を計算する計算ステップを有し、
前記計算ステップにおいて計算されたポイント数に応じて新たな契約対象となる画像形成装置に対する契約の割引き額を計算する割引き額計算ステップとを、実行するためのプログラムコードを記憶したことを特徴とするコンピュータが読み取り可能な記憶媒体。
【請求項１４】  ＩＤ情報に対応付けられている複数の画像形成装置をそれぞれ管理する前記複数の画像形成装置とインターネットを介して接続された情報処理装置において実行されるプログラムであって、
前記インターネットを介して送信されてくる前記複数の画像形成装置のそれぞれの使用状況を受信し、前記受信した使用状況に応じたポイント数を計算する計算ステップを有し、
前記計算ステップにおいて計算されたポイント数に応じて新たな契約対象となる画像形成装置に対する契約の割引き額を計算する割引き額計算ステップとを有することを特徴とするプログラム。
【請求項１５】  所定の通信媒体を介して、ユーザの印刷装置と接続された情報処理装置であって、
前記所定の通信媒体を介して第１の印刷装置の使用状況を示す情報を受信する受信手段と、
前記受信した前記第１の印刷装置の使用状況を示す情報に応じて第２の印刷装置の契約情報を生成する生成手段とを有し、
前記契約情報には、前記印刷装置の印刷出力１枚当たりの課金額の情報を含んでおり、前記印刷出力１枚当たりの課金額には前記印刷装置の保守メンテナンス料金を含むことを特徴とする情報処理装置。
【請求項１６】  前記受信手段は前記所定の通信媒体を介して送信されてくる前記ユーザを特定するＩＤ情報を受信し、前記受信したＩＤ情報に基づいて検索された契約履歴リストを示す情報を前記印刷装置に接続された管理装置に送信する送信手段とを有することを特徴とする請求項１５に記載の情報処理装置。
【請求項１７】  前記リスト情報には、前記ＩＤ情報によって特定される複数の印刷装置に対する契約情報が含まれており、前記複数の印刷装置に対する契約情報にはそれぞれ前記使用状況に応じた割引き情報が付されていることを特徴とする請求項１６に記載の情報処理装置。
【請求項１８】  前記複数の印刷装置にそれぞれ付された割引き情報の中で、高い割引き額が付された印刷装置に対しては該高い割引き額が付されていることが識別が可能なフラッグを表示させる情報を生成するフラッグ生成手段を更に有することを特徴とする請求項１７に記載の情報処理装置。
【請求項１９】  記憶手段を更に有し、前記記憶手段には印刷装置の使用状況に応じた印刷出力１枚当たりの割引き金額を算出するためのテーブルが記憶されており、前記生成手段は前記使用状況と前記テーブルとに応じた前記印刷出力１枚当たりの課金額を算出することを特徴とする請求項１５に記載の情報処理装置。
【請求項２０】  前記複数の印刷装置にそれぞれ付された割引き情報には日付情報が付加されており、前記付加された日付情報が所定期間内か否かを判断する判断手段と、
前記生成手段は前記判断手段による判断の結果が所定期間内であると判断された場合には、割引き情報を前記第２の印刷装置の契約情報に反映させ、所定期間内でないと判断された場合には、前記割引き情報を前記第２の印刷装置の契約情報に反映させないようにすることを特徴とする請求項１５に記載の情報処理装置。
【請求項２１】  所定の通信媒体を介して、ユーザの印刷装置と接続された情報処理装置による情報処理方法であって、
前記所定の通信媒体を介して第１の印刷装置の使用状況情報を示す情報を受信する受信ステップと、
前記受信した前記第１の印刷装置の使用状況情報に応じて第２の印刷装置の契約情報を生成する生成ステップとを有し、
前記契約情報には、前記印刷装置の印刷出力１枚当たりの課金額の情報を含んでおり、前記印刷出力１枚当たりの課金額には前記印刷装置の保守メンテナンス料金を含むことを特徴とする情報処理方法。
【請求項２２】  所定の通信媒体を介して、ユーザの印刷装置と接続された情報処理装置において、
前記所定の通信媒体を介して第１の印刷装置の使用状況情報を示す情報を受信する受信ステップと、
前記受信した前記第１の印刷装置の使用状況情報に応じて第２の印刷装置の契約情報を生成する生成ステップとを、実行するためのプログラムコードを記憶しており、
前記契約情報には、前記印刷装置の印刷出力１枚当たりの課金額の情報を含んでおり、前記印刷出力１枚当たりの課金額には前記印刷装置の保守メンテナンス料金を含むことを特徴とするコンピュータが読み取り可能な記憶媒体。
【請求項２３】  所定の通信媒体を介して、ユーザの印刷装置と双方向通信が可能な情報処理装置において実行されるプログラムであって、
前記所定の通信媒体を介して第１の印刷装置の使用状況情報を示す情報を受信する受信ステップと、
前記受信した前記第１の印刷装置の使用状況情報に応じて第２の印刷装置の契約情報を生成する生成ステップとを有しており、
前記契約情報には、前記印刷装置の印刷出力１枚当たりの課金額の情報を含んでおり、前記印刷出力１枚当たりの課金額には前記印刷装置の保守メンテナンス料金を含むことを特徴とするプログラム。
【請求項２４】  インターネットを介して、印刷装置と接続された情報処理装置であって、
既に契約を締結している第１の印刷装置を特定する第１のＩＤ情報と、新たに管理される第２の印刷装置を特定する第２のＩＤ情報とを前記インターネットを介して受信する受信手段と、
前記受信手段によって受信された第１のＩＤ情報に対応する契約に関連する第１の契約情報を検索する検索手段と、
前記検索手段によって検索された第１の契約情報に基づいて、新たに管理される第２の印刷装置のための契約に関連する第２の契約情報を生成する生成手段とを有し、
前記生成手段は、更に前記第２の印刷装置のための契約に関連する第２の契約情報を第２の印刷装置の機種に基づき生成することを特徴とする情報処理装置。
【請求項２５】  インターネットを介して、印刷装置と接続された情報処理装置における情報処理方法であって、
既に契約を締結している第１の印刷装置を特定する第１のＩＤ情報と、新たに管理される第２の印刷装置を特定する第２のＩＤ情報とを前記インターネットを介して受信する受信ステップと、
前記受信ステップで受信された第１のＩＤ情報に対応する契約に関連する第１の契約情報を検索する検索ステップと、
前記検索ステップで検索された第１の契約情報に基づいて、新たに管理される第２の印刷装置のための契約に関連する第２の契約情報を生成する生成ステップとを有し、
前記生成ステップは、更に前記第２の印刷装置のための契約に関連する第２の契約情報を第２の印刷装置の機種に基づき生成することを特徴とする情報処理方法。
【手続補正２】
【補正対象書類名】明細書
【補正対象項目名】０００９
【補正方法】変更
【補正の内容】
【０００９】
【課題を解決するための手段】
上記課題を解決するため、本発明における情報処理装置は、表示部を有した第１のデバイス機器にインターネットを介して接続され、ユーザが第２のデバイス機器を購入する際に前記第２のデバイス機器に対する契約を結ぶための契約に関する情報を設定する画面を表示するための情報を送信する送信手段と、前記インターネットを介して送信されてくる、使用履歴のある第１のデバイス機器を特定する第１のＩＤ情報と前記第２のデバイス機器を特定する第２のＩＤ情報とを受信する受信手段と、前記受信手段により受信した第１のＩＤ情報に応じた第１の契約情報を検索する検索手段と、前記検索手段で検索された第１の契約情報に基づく前記第２のデバイス機器に対する第２の契約情報を生成する生成手段とを有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】